(57)【要約】【課題】揺らぎ制御時の音を使用者側で調節することを可能にする空調室内機を提供する。【解決手段】空調室内機１０は、調和空気の風量を不規則に変化させる揺らぎ気流制御が選択可能に設定されている制御部を備えている。制御部は、揺らぎ気流制御における風量の変化度合いの設定値を変える第１機能によって、室内ファン１４の回転数の増減の大きさを変更することができる。その結果、室内ファン１４の加速を抑えることができるので、その分、うなり音などの騒音を抑えることができる。【選択図】図９Ａ
2014055745.tif 000002
【特許請求の範囲】
【請求項１】
調和空気の風量を不規則に変化させる揺らぎ気流制御が選択可能に設定されている制御部（４０）を備える空調室内機であって、
前記制御部（４０）は、
前記揺らぎ気流制御における前記風量の変化度合いの設定値を変える第１機能、及び、
前記揺らぎ気流制御における前記風量の変化速度の設定値を変える第２機能、
のいずれか一方を有している、
空調室内機。
【請求項２】
前記第１機能は、前記風量の増減の大きさを変更する機能である、
請求項１に記載の空調室内機。
【請求項３】
前記第２機能は、前記風量の増減の時間間隔を変更する機能である、
請求項１に記載の空調室内機。
【請求項４】
前記制御部（４０）は、
前記風量が固定のときに選択される前記揺らぎ気流制御を第１揺らぎ気流制御として、
前記風量が自動のときに選択される前記揺らぎ気流制御を第２揺らぎ気流制御として、
認定し、
さらに、制御部（４０）は前記風量の増減の大きさの許容変更幅を予め記憶しており、
前記許容変更幅は、前記第１揺らぎ気流制御における前記風量の増減の大きさが前記第２揺らぎ気流制御のときよりも小さくなるように設定されている、
請求項２に記載の空調室内機。
【請求項５】
前記制御部（４０）は、
前記風量が固定のときに選択される前記揺らぎ気流制御を第１揺らぎ気流制御として、
前記風量が自動のときに選択される前記揺らぎ気流制御を第２揺らぎ気流制御として、
認識し、
さらに、制御部（４０）は前記風量の増減の時間間隔の許容変更幅を予め記憶しており、
前記許容変更幅は、前記第１揺らぎ気流制御における前記風量の増減の時間間隔が前記第２揺らぎ気流制御のときよりも大きくなるように設定されている、
請求項３に記載の空調室内機。
【発明の詳細な説明】
【技術分野】
【０００１】
本発明は、空調室内機に関する。
【背景技術】
【０００２】
近年、居住空間の快適性を向上させる目的で、空調室内機から吹き出される調和空気を自然気流に近づける取り組みが行われている。例えば、特許文献１（特開平８−８６５０２号公報）に記載されている空気調和機は、設定された基準風量に応じて一定の範囲内で且つ不規則な周期で風量を変更する揺らぎ制御を行うことができ、使用者は一定風量の吹き出し時に比べて快適性を感じることができる。
【発明の概要】
【発明が解決しようとする課題】
【０００３】
しかしながら、上記のような風量を変動させる揺らぎ制御が、静寂な部屋で行われた場合、ファンモータの回転数変動時の音が使用者にとっては不快な騒音となり、逆に快適性をそこなう可能性がある。
【０００４】
本発明の課題は、揺らぎ制御時の音を使用者側で調節することを可能にする空調室内機を提供することにある。
【課題を解決するための手段】
【０００５】
本発明の第１観点に係る空調室内機は、調和空気の風量を不規則に変化させる揺らぎ気流制御が選択可能に設定されている制御部を備える空調室内機であって、制御部が第１機能および第２機能のいずれか一方を有している。第１機能は、揺らぎ気流制御における風量の変化度合いの設定値を変える。第２機能は、揺らぎ気流制御における風量の変化速度の設定値を変える。
【０００６】
この空調室内機では、第１機能および第２機能ともに、風量の単位時間あたりの変化量を小さくするように設定することができ、使用者が必要に応じて風量変更時の音を抑えることができるので、使い勝手がよい。
【０００７】
本発明の第２観点に係る空調室内機は、第１観点に係る空調室内機であって、第１機能が風量の増減の大きさを変更する機能である。
【０００８】
この空調室内機では、例えば、ファンモータの加速を抑えることができるので、その分、うなり音などの騒音を抑えることができる。
【０００９】
本発明の第３観点に係る空調室内機は、第１観点に係る空調室内機であって、第２機能が風量の増減の時間間隔を変更する機能である。
【００１０】
この空調室内機では、例えば、ファンモータの回転数を緩やかに増減することができるので、その分、うなり音などの騒音を抑えることができる。
【００１１】
本発明の第４観点に係る空調室内機は、第２観点に係る空調室内機であって、制御部が、風量が固定のときに選択される揺らぎ気流制御を第１揺らぎ気流制御として認定し、風量が自動のときに選択される揺らぎ気流制御を第２揺らぎ気流制御として認定する。さらに、制御部は風量の増減の大きさの許容変更幅を予め記憶している。許容変更幅は、第１揺らぎ気流制御における風量の増減の大きさが第２揺らぎ気流制御のときよりも小さくなるように設定されている。
【００１２】
この空調室内機では、第１揺らぎ気流制御のような、風量固定のときに選択された揺らぎ気流制御は、そのときの固定風量を基準に不規則に風量の増減が行われるので、当初の固定風量が高かった場合は風量増減時の音も大きくなる。それゆえ、第１揺らぎ気流制御における風量の増減の大きさが第２揺らぎ気流制御のときよりも小さくなるように許容変更幅を設定し、うなり音などの騒音を抑えるようにしている。
【００１３】
本発明の第５観点に係る空調室内機は、第３観点に係る空調室内機であって、制御部が、風量が固定のときに選択される揺らぎ気流制御を第１揺らぎ気流制御として認定し、風量が自動のときに選択される揺らぎ気流制御を第２揺らぎ気流制御として認定する。さらに、制御部は前記風量の増減の時間間隔の許容変更幅を予め記憶している。許容変更幅は、第１揺らぎ気流制御における風量の増減の時間間隔が第２揺らぎ気流制御のときよりも大きくなるように設定されている。
【００１４】
この空調室内機では、第１揺らぎ気流制御における風量の増減の時間間隔が第２揺らぎ気流制御のときよりも大きくなるように許容変更幅を設定することによって、例えば、ファンモータの回転数を緩やかに増減することができるので、その分、うなり音などの騒音を抑えることができる。
【発明の効果】
【００１５】
本発明の第１観点に係る空調室内機では、第１機能および第２機能ともに、風量の単位時間あたりの変化量を小さくするように設定することができ、使用者が必要に応じて風量変更時の音を抑えることができるので、使い勝手がよい。
【００１６】
本発明の第２観点に係る空調室内機では、ファンモータの加速を抑えることができるので、その分、うなり音などの騒音を抑えることができる。
【００１７】
本発明の第３観点に係る空調室内機では、ファンモータの回転数を緩やかに増減することができるので、その分、うなり音などの騒音を抑えることができる。
【００１８】
本発明の第４観点に係る空調室内機では、第１揺らぎ気流制御における風量の増減の大きさが第２揺らぎ気流制御のときよりも小さくなるように許容変更幅を設定し、うなり音などの騒音を抑えるようにしている。
【００１９】
本発明の第５観点に係る空調室内機では、第１揺らぎ気流制御における風量の増減の時間間隔が第２揺らぎ気流制御のときよりも大きくなるように許容変更幅を設定することによって、例えば、ファンモータの回転数を緩やかに増減することができるので、その分、うなり音などの騒音を抑えることができる。
【図面の簡単な説明】
【００２０】
【図１】本発明の一実施形態に係る運転停止時の空調室内機の断面図。
【図２】運転時の空調室内機の断面図。
【図３Ａ】調和空気が通常前吹き時の風向調整羽根およびコアンダ羽根の側面図。
【図３Ｂ】調和空気が通常前方下吹き時の風向調整羽根およびコアンダ羽根の側面図。
【図３Ｃ】コアンダ気流前方吹き時の風向調整羽根およびコアンダ羽根の側面図。
【図３Ｄ】コアンダ気流天井吹き時の風向調整羽根およびコアンダ羽根の側面図。
【図４Ａ】調和空気の方向およびコアンダ気流の方向を示す概念図。
【図４Ｂ】風向調整羽根とコアンダ羽根との開き角度の一例を表す概念図。
【図５Ａ】コアンダ気流前方吹き時のスクロールの終端Ｆの接線とコアンダ羽根とが成す内角と、スクロールの終端Ｆの接線と風向調整羽根とが成す内角との比較図。
【図５Ｂ】コアンダ気流天井吹き時のスクロールの終端Ｆの接線とコアンダ羽根とが成す内角と、スクロールの終端Ｆの接線と風向調整羽根とが成す内角との比較図。
【図６Ａ】風向調整羽根の上下遥動による調和空気の風向を示す空調室内機設置空間の側面図。
【図６Ｂ】風向調整羽根が下向き時の調和空気の風向を示す空調室内機設置空間の側面図。
【図６Ｃ】コアンダ羽根の姿勢が天井吹き姿勢のときのコアンダ気流の風向を示す空調室内機設置空間の側面図。
【図７】揺らぎ気流Ｂ制御時の風向調整羽根、コアンダ羽根の動作および室内ファンのファン回転数を示すフローチャート。
【図８】室内ファンのファン回転数変動量パターン・テーブル。
【図９Ａ】揺らぎ気流制御におけるファン回転数の変動量補正のフローチャート。
【図９Ｂ】揺らぎ気流制御におけるファン回転数の変動量補正のフローチャート。
【発明を実施するための形態】
【００２１】
以下、図面を参照しながら、本発明の実施形態について説明する。なお、以下の実施形態は、本発明の具体例であって、本発明の技術的範囲を限定するものではない。
【００２２】
（１）空調室内機１０の構成
図１は、本発明の一実施形態に係る運転停止時の空調室内機１０の断面図である。また、図２は、運転時の空調室内機１０の断面図である。図１及び図２において、空調室内機１０は壁掛けタイプであり、本体ケーシング１１、室内熱交換器１３、室内ファン１４、底フレーム１６、及び制御部４０が搭載されている。
【００２３】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００２４】
天面部１１ａは、本体ケーシング１１の上部に位置し、天面部１１ａの前部には、吸込口（図示せず）が設けられている。
【００２５】
前面パネル１１ｂは室内機の前面部を構成しており、吸込口がないフラットな形状を成している。また、前面パネル１１ｂは、その上端が天面部１１ａに回動自在に支持され、ヒンジ式に動作することができる。
【００２６】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００２７】
本体ケーシング１１の下部には、吹出口１５が設けられている。吹出口１５には、吹出口１５から吹き出される調和空気の方向を変更する風向調整羽根３１が回動自在に取り付けられている。風向調整羽根３１は、モータ（図示せず）によって駆動し、調和空気の方向を変更するだけでなく、吹出口１５を開閉することもできる。風向調整羽根３１は、傾斜角が異なる複数の姿勢をとることが可能である。
【００２８】
また、吹出口１５の近傍にはコアンダ羽根３２が設けられている。コアンダ羽根３２は、モータ（図示せず）によって前後方向に傾斜した姿勢をとることが可能であり、運転停止時に前面パネル１１ｂに設けられた収容部１３０に収容される。コアンダ羽根３２は、傾斜角が異なる複数の姿勢をとることが可能である。
【００２９】
また、吹出口１５は、吹出流路１８によって本体ケーシング１１の内部と繋がっている。吹出流路１８は、吹出口１５から底フレーム１６のスクロール１７に沿って形成されている。
【００３０】
室内空気は、室内ファン１４の稼動によって吸込口、室内熱交換器１３を経て室内ファン１４に吸い込まれ、室内ファン１４から吹出流路１８を経て吹出口１５から吹き出される。
【００３１】
制御部４０は、本体ケーシング１１を前面パネル１１ｂから視て室内熱交換器１３及び室内ファン１４の右側方に位置しており、室内ファン１４の回転数制御、風向調整羽根３１及びコアンダ羽根３２の動作制御を行う。
【００３２】
（２）詳細構成
（２−１）前面パネル１１ｂ
図１に示すように、前面パネル１１ｂは本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さはコアンダ羽根３２の厚み寸法に合うように設定されており、コアンダ羽根３２が収容される収容部１３０を成している。収容部１３０の表面もなだらかな円弧曲面である。
【００３３】
（２−２）吹出口１５
図１に示すように、吹出口１５は、本体ケーシング１１の下部に形成されており、横方向（図１紙面と直交する方向）を長辺とする長方形の開口である。吹出口１５の下端は下部水平板１１ｄの前方エッジに接しており、吹出口１５の下端と上端とを結ぶ仮想面は前方上向きに傾斜している。
【００３４】
（２−３）スクロール１７
スクロール１７は、室内ファン１４に対峙するように湾曲した隔壁であり、底フレーム１６の一部である。スクロール１７の終端Ｆは、吹出口１５の周縁近傍まで到達している。吹出流路１８を通る空気は、スクロール１７に沿って進み、スクロール１７の終端Ｆの接線方向に送られる。したがって、吹出口１５に風向調整羽根３１がなければ、吹出口１５から吹き出される調和空気の風向は、スクロール１７の終端Ｆの接線Ｌ０に概ね沿った方向である。
【００３５】
（２−４）垂直風向調整板２０
垂直風向調整板２０は、図１及び図２に示すように、複数の羽根片２０１と、複数の羽根片２０１を連結する連結棒２０３を有している。また、垂直風向調整板２０は、吹出流路１８において、風向調整羽根３１よりも室内ファン１４近傍に配置されている。
【００３６】
複数枚の羽根片２０１は、連結棒２０３が吹出口１５の長手方向に沿って水平往復移動することによって、その長手方向に対して垂直な状態を中心に左右に揺動する。なお、連結棒２０３は、モータ（図示せず）によって水平往復移動する。
【００３７】
（２−５）風向調整羽根３１
風向調整羽根３１は、吹出口１５を塞ぐことができる程度の面積を有している。風向調整羽根３１が吹出口１５を閉じた状態において、その外側面３１ａは前面パネル１１ｂの曲面の延長上にあるような外側に凸のなだらかな円弧曲面に仕上げられている。また、風向調整羽根３１の内側面３１ｂ（図２参照）も、外面にほぼ平行な円弧曲面を成している。
【００３８】
風向調整羽根３１は、下端部に回動軸３１１を有している。回動軸３１１は、吹出口１５の下端近傍で、本体ケーシング１１に固定されているステッピングモータ（図示せず）の回転軸に連結されている。
【００３９】
回動軸３１１が図１正面視反時計方向に回動することによって、風向調整羽根３１の上端が吹出口１５の上端側から遠ざかるように動作して吹出口１５を開ける。逆に、回動軸３１１が図１正面視時計方向に回動することによって、風向調整羽根３１の上端が吹出口１５の上端側へ近づくように動作して吹出口１５を閉じる。
【００４０】
風向調整羽根３１が吹出口１５を開けている状態において、吹出口１５から吹き出された調和空気は、風向調整羽根３１の内側面３１ｂに概ね沿って流れる。すなわち、スクロール１７の終端Ｆの接線方向に概ね沿って吹き出された調和空気は、その風向が風向調整羽根３１によってやや上向きに変更される。
【００４１】
（２−６）コアンダ羽根３２
コアンダ羽根３２は、空調運転が停止している間や後述する通常吹出モードでの運転では収容部１３０に収納されている。コアンダ羽根３２は回動することによって収容部１３０から離れる。コアンダ羽根３２の回動軸３２１は、収容部１３０の下端近傍で且つ本体ケーシング１１の内側の位置（吹出流路１８上壁の上方の位置）に設けられており、コアンダ羽根３２の下端部と回動軸３２１とは所定の間隔を保って連結されている。それゆえ、回動軸３２１が回動してコアンダ羽根３２が室内機前面部の収容部１３０から離れるほど、コアンダ羽根３２の下端の高さ位置は低くなるように回転する。また、コアンダ羽根３２が回転して開いたときの傾斜は室内機前面部の傾斜よりも緩やかである。
【００４２】
本実施形態では、収容部１３０は、送風路の外に設けられており、収容時にコアンダ羽根３２の全体が送風路の外側に収容される。かかる構造に代えて、コアンダ羽根３２の一部のみが送風路の外側に収容され、残りが送風路内（たとえば、送風経路の上壁部）に収容されるようにしてもよい。
【００４３】
また、回動軸３２１が図１正面視反時計方向に回動することによって、コアンダ羽根３２の上端および下端ともに円弧を描きながら収容部１３０から離れるが、そのとき、上端と吹出口より上方の室内機前面部の収容部１３０との最短距離は、下端と収容部１３０との最短距離より大きい。すなわち、コアンダ羽根３２は前方に行くにしたがって前記室内機前面部から離れるような姿勢に制御される。そして、回動軸３２１が図１正面視時計方向に回動することによって、コアンダ羽根３２は収容部１３０に近づき、最終的に収容部１３０に収容される。コアンダ羽根３２の運転状態の姿勢としては、収容部１３０に収納された状態、回転して前方上向きに傾斜した姿勢、さらに回転してほぼ水平な姿勢、さらに回転して前方下向きに傾斜した姿勢がある。
【００４４】
コアンダ羽根３２が収容部１３０に収容された状態で、コアンダ羽根３２の外側面３２ａは前面パネル１１ｂのなだらかな円弧曲面の延長上にあるような外側に凸のなだらかな円弧曲面に仕上げられている。また、コアンダ羽根３２の内側面３２ｂは、収容部１３０の表面に沿うような円弧曲面に仕上げられている。
【００４５】
また、コアンダ羽根３２の長手方向の寸法は、風向調整羽根３１の長手方向の寸法以上となるように設定されている。この理由は風向調整羽根３１で風向調節された調和空気すべてをコアンダ羽根３２で受けるためであり、その目的はコアンダ羽根３２の側方からの調和空気がショートサーキットすることを防止することである。
【００４６】
（３）調和空気の方向制御
本実施形態の空調室内機は、調和空気の方向を制御する手段として、風向調整羽根３１のみを回動させて調和空気の方向を調整する通常吹出モードと、風向調整羽根３１及びコアンダ羽根３２を回動させてコアンダ効果によって調和空気をコアンダ羽根３２の外側面３２ａに沿わせたコアンダ気流にするコアンダ効果利用モードとを有している。
【００４７】
風向調整羽根３１及びコアンダ羽根３２は、上記各モードにおいて空気の吹出方向ごとに姿勢が変化するので、各姿勢について図面を参照しながら説明する。なお、吹出方向の選択は、ユーザーがリモコン等を介して行なうことができるものとする。また、モードの変更や吹出方向は自動的に変更されるように制御することも可能である。
【００４８】
（３−１）通常吹出モード
通常吹出モードは、風向調整羽根３１のみを回動させて調和空気の方向を調整するモードであり、「通常前吹き」と「通常前方下吹き」とを含む。
【００４９】
（３−１−１）通常前吹き
図３Ａは、調和空気が通常前吹き時の風向調整羽根３１及びコアンダ羽根３２の側面図である。図３Ａにおいて、ユーザーが「通常前吹き」を選択したとき、制御部４０は風向調整羽根３１の内側面３１ｂが略水平になる位置まで風向調整羽根３１を回動させる。なお、本願実施形態のように風向調整羽根３１の内側面３１ｂが円弧曲面をなしている場合は、内側面３１ｂの前方端Ｅ１における接線が略水平になるまで風向調整羽根３１を回動させる。その結果、調和空気は、前吹き状態となる。
【００５０】
（３−１−２）通常前方下吹き
図３Ｂは、調和空気が通常前方下吹き時の風向調整羽根３１及びコアンダ羽根３２の側面図である。図３Ｂにおいて、ユーザーは吹出方向を「通常前吹き」よりも下方に向けたいとき、「通常前方下吹き」を選択すればよい。
【００５１】
このとき、制御部４０は、風向調整羽根３１の内側面３１ｂの前方端Ｅ１における接線が水平よりも前下がりになるまで風向調整羽根３１を回動させる。その結果、調和空気は、前方下吹き状態となる。
【００５２】
（３−１−３）風向自動
図６Ａは、風向調整羽根３１の上下遥動による調和空気の風向を示す空調室内機設置空間の側面図である。図６Ａに示すような風向調整は、従来品にも実施されている、いわゆるオートルーバー機能による風向調整であって、人体４００に風を当てる動作・当てない動作の繰り返し手段として利用される。
【００５３】
（３−２）コアンダ効果利用モード
コアンダ（効果）とは、気体や液体の流れのそばに壁があると、流れの方向と壁の方向とが異なっていても、壁面に沿った方向に流れようとする現象である（朝倉書店「法則の辞典」）。コアンダ利用モードは、このコアンダ効果を利用した「コアンダ気流前方吹き」および「コアンダ気流天井吹き」を含む。
【００５４】
また、調和空気の方向およびコアンダ気流の方向については、基準位置の取り方次第で定義の方法が異なるが、以下に一例を示す。図４Ａは、調和空気の方向およびコアンダ気流の方向を示す概念図である。図４Ａにおいて、コアンダ羽根３２の外側面３２ａ側にコアンダ効果を生じさせるには、風向調整羽根３１によって変更された調和空気の方向（Ｄ１）の傾斜がコアンダ羽根３２の姿勢（傾斜）に近くなる必要がある。両者が離れすぎているとコアンダ効果が生じない。そのため、本コアンダ効果利用モードでは、コアンダ羽根３２と風向調整羽根３１とが所定の開き角度以下になる必要があり、両羽根（３１、３２）がその範囲内を成すようにして、上記の関係が成立するようにしている。これにより、図４Ａに示すように、調和空気の風向が風向調整羽根３１によってＤ１に変更された後、さらにコアンダ効果によりＤ２に変更される。
【００５５】
また、本実施形態のコアンダ効果利用モードでは、コアンダ羽根３２が風向調整羽根３１の前方（吹出の下流側）かつ上方の位置あるのが好ましい。
【００５６】
また、風向調整羽根３１とコアンダ羽根３２との開き角度については、基準位置の取り方次第で定義の方法が異なるが、以下に一例を示す。図４Ｂは、風向調整羽根３１とコアンダ羽根３２との開き角度の一例を表す概念図である。図４Ｂにおいて、風向調整羽根３１の内側面３１ｂの前後端を結ぶ直線と水平線との角度を風向調整羽根３１の傾斜角θ１とし、コアンダ羽根３２の外側面３２ａの前後端を結ぶ直線と水平線との角度をコアンダ羽根３２の傾斜角θ２としたとき、風向調整羽根３１とコアンダ羽根３２との開き角度θ＝θ２−θ１である。なお、θ１及びθ２は絶対値ではなく、図４Ｂ正面視において水平線よりも下方となる場合は負の値である。
【００５７】
「コアンダ気流前方吹き」および「コアンダ気流天井吹き」ともに、風向調整羽根３１およびコアンダ羽根３２は、スクロール１７の終端Ｆの接線とコアンダ羽根３２とが成す内角が、スクロール１７の終端Ｆの接線と風向調整羽根３１とが成す内角よりも大きい、という条件を満たす姿勢をとるのが好ましい。
【００５８】
なお、内角については、図５Ａ（コアンダ気流前方吹き時のスクロール１７の終端Ｆの接線Ｌ０とコアンダ羽根３２とが成す内角Ｒ２と、スクロール１７の終端Ｆの接線Ｌ０と風向調整羽根３１とが成す内角Ｒ１との比較図）、および図５Ｂ（コアンダ気流天井吹き時のスクロール１７の終端Ｆの接線Ｌ０とコアンダ羽根３２とが成す内角Ｒ２と、スクロール１７の終端Ｆの接線Ｌ０と風向調整羽根３１とが成す内角Ｒ１との比較図）を参照のこと。
【００５９】
また、図５Ａ及び図５Ｂに示すように、コアンダ効果利用モードにおけるコアンダ羽根３２では、コアンダ羽根３２の先端部が水平より前方上向で、吹出口１５よりも外側上方に位置する。その結果、コアンダ気流はより遠方に到達する上に、コアンダ羽根３２の上側を通過するような強い気流の発生は抑制され、コアンダ気流の上方への誘導が阻害されにくくなる。
【００６０】
また、コアンダ羽根３２の後端部の高さ位置は運転停止時よりも低くなっているので、上流側でのコアンダ効果によるコアンダ気流が生成し易い。
【００６１】
（３−２−１）コアンダ気流前方吹き
図３Ｃは、コアンダ気流前方吹き時の風向調整羽根３１及びコアンダ羽根３２の側面図である。図３Ｃにおいて、「コアンダ気流前方吹き」が選択されたとき、制御部４０は、風向調整羽根３１の内側面３１ｂの前方端Ｅ１における接線Ｌ１が水平よりも前下がりになるまで風向調整羽根３１を回動させる。
【００６２】
次に、制御部４０は、コアンダ羽根３２の外側面３２ａが略水平になる位置までコアンダ羽根３２を回動させる。なお、本願実施形態のようにコアンダ羽根３２の外側面３２ａが円弧曲面をなしている場合は、外側面３２ａの前方端Ｅ２における接線Ｌ２が略水平になるまでコアンダ羽根３２を回動させる。つまり、図５Ａに示すように、接線Ｌ０と接線Ｌ２とが成す内角Ｒ２は、接線Ｌ０と接線Ｌ１とが成す内角Ｒ１よりも大きくなる。
【００６３】
風向調整羽根３１で前方下吹きに調整された調和空気は、コアンダ効果によってコアンダ羽根３２の外側面３２ａに付着した流れとなり、この外側面３２ａに沿ったコアンダ気流に変わる。
【００６４】
したがって、風向調整羽根３１の前方端Ｅ１における接線Ｌ１方向が前方下吹きであっても、コアンダ羽根３２の前方端Ｅ２における接線Ｌ２方向が水平であるので、調和空気は、コアンダ効果によってコアンダ羽根３２の外側面３２ａの前方端Ｅ２における接線Ｌ２方向、すなわち水平方向に吹き出される。
【００６５】
このように、コアンダ羽根３２が室内機前面部から離れて傾斜が緩やかになり、調和空気が前面パネル１１ｂよりも前方でコアンダ効果を受け易くなる。その結果、風向調整羽根３１で風向調節された調和空気が前方下吹きであっても、コアンダ効果によって水平吹きの空気となる。これは、吹出口通過直後の空気を前面パネルに近づけて前面パネルのコアンダ効果で上向きにする方法に比べて、風向調整羽根３１の通風抵抗による圧損が抑制されつつ風向が変更される。
【００６６】
（３−２−２）コアンダ気流天井吹き
図３Ｄは、コアンダ気流天井吹き時の風向調整羽根３１及びコアンダ羽根３２の側面図である。図３Ｄにおいて、「コアンダ気流天井吹き」が選択されたとき、制御部４０は風向調整羽根３１の内側面３１ｂの前方端Ｅ１における接線Ｌ１が水平になるまで風向調整羽根３１を回動させる。
【００６７】
次に、制御部４０は、外側面３２ａの前方端Ｅ２における接線Ｌ２が前方上向きとなるまでコアンダ羽根３２を回動させる。つまり、図５Ｂに示すように、接線Ｌ０と接線Ｌ２とが成す内角Ｒ２は、接線Ｌ０と接線Ｌ１とが成す内角Ｒ１よりも大きくなる。風向調整羽根３１で水平吹きに調整された調和空気は、コアンダ効果によってコアンダ羽根３２の外側面３２ａに付着した流れとなり、この外側面３２ａに沿ったコアンダ気流に変わる。
【００６８】
したがって、風向調整羽根３１の前方端Ｅ１における接線Ｌ１方向が前方吹きであっても、コアンダ羽根３２の前方端Ｅ２における接線Ｌ２方向が前方上吹きであるので、調和空気は、コアンダ効果によってコアンダ羽根３２の外側面３２ａの前方端Ｅ２における接線Ｌ２方向、すなわち天井方向に吹き出される。コアンダ羽根３２の先端部は吹出口１５より外側に突出しているので、コアンダ気流はより遠方に到達する。さらに、コアンダ羽根３２の先端部は吹出口１５よりも上方に位置しているので、コアンダ羽根３２の上側を通過するような気流の発生は抑制され、コアンダ気流の上方への誘導が阻害されにくい。
【００６９】
このように、コアンダ羽根３２が室内機前面部から離れて傾斜が緩やかになり、調和空気が前面パネル１１ｂよりも前方でコアンダ効果を受け易くなる。その結果、風向調整羽根３１で風向調節された調和空気が前方吹きであっても、コアンダ効果によって上向きの空気となる。
【００７０】
なお、コアンダ羽根３２の長手方向の寸法は、風向調整羽根３１の長手方向の寸法以上である。それゆえ、風向調整羽根３１で風向調節された調和空気すべてをコアンダ羽根３２で受けることができ、コアンダ羽根３２の側方から調和空気がショートサーキットすることが防止されるという効果も奏している。
【００７１】
（３−２−３）不意の風
図６Ｂは、風向調整羽根３１が下向き時の調和空気の風向を示す空調室内機設置空間の側面図である。また、図６Ｃは、コアンダ羽根３２の姿勢が天井吹き姿勢のときのコアンダ気流の風向を示す空調室内機設置空間の側面図である。
【００７２】
図６Ｂ及び図６Ｃにおいて、図６Ｂのような人体４００に向いた風を、コアンダ効果を利用して図６Ｃのような上向きのコアンダ気流に変更し、その後、その逆の動作を行なうことによって、突然人体４００に当たるような不意の風を作り出すことができる。
【００７３】
例えば、風向調整羽根３１が居住者の居る方向に調和空気を向けているときに、コアンダ羽根３２が不規則な周期で、コアンダ効果を発生させる領域とコアンダ効果を発生させない領域との間の境界域を跨ぐように移動した場合、コアンダ気流の発生と消滅とが繰り返され、居住者に突然当たる風が作られる。
【００７４】
（３−２−４）揺らぎ気流
揺らぎ気流とは、調和空気の風向を不規則に変動させることによって生成される気流であり、風向を不規則に変動させるという点で（３−１−３）で説明した風向自動と異なるものである。
【００７５】
図７は、揺らぎ気流制御時の風向調整羽根３１、コアンダ羽根３２の動作および室内ファン１４のファン回転数を示すフローチャートである。図７において、風向調整羽根３１は、中間位置に待機する動作を挟んで、上限位置と下限位置との間を揺動する。制御部４０は、風向調整羽根３１が中間位置に待機する時間（以後、中間位置待機時間よとぶ）を不規則に変化させており、これによって、居住者に近づいていく風と遠ざかっていく風の組合せが不規則に入れ替わるので、居住者に多様な風を提供することができる。
【００７６】
さらに、コアンダ羽根３２は、上限位置と下限位置との間を揺動する。図７に示すとおり、揺らぎ気流制御には、コアンダ羽根３２が上限位置と下限位置との間を揺動している間に風向調整羽根３１が上限位置と中間位置との間を揺動する第１パターンと、コアンダ羽根３２が上限位置に待機する間に風向調整羽根３１が中間位置と下限位置との間を揺動する第２パターンとが含まれている。
【００７７】
第１パターンにおいて、コアンダ羽根３２が上限位置から下限位置に向う動作と、風向調整羽根３１が中間位置か上限位置に向うタイミングとは同期している。また、コアンダ羽根３２が下限位置から上限位置に向う動作と、風向調整羽根３１が上限位置か中間位置に向うタイミングとは同期している。
【００７８】
風向調整羽根３１が中間位置にあるときは、コアンダ羽根３２は上限位置にあるように制御されているのでコアンダ気流は発生しない。したがって、風向調整羽根３１の中間位置待機時間が不規則に変化することによって、コアンダ気流を発生させない時間が不規則に変化し、風が不意に吹いてくる間隔が不規則に入れ替わる。
【００７９】
なお、風向調整羽根３１の中間位置待機時間では、調和空気を安定して一方向に吹かせたいので、本実施形態では、風向調整羽根３１が中間位置にあり且つコアンダ羽根３２が上限位置にある時間を待機時間として計測している。
【００８０】
このように、風向調整羽根３１及びコアンダ羽根３２が不規則に揺動することによって、自然風に近い調和空気を居住者に提供することができる。
【００８１】
（４）揺らぎ制御時の風量制御
また、揺らぎ気流制御では、風向だけに限らず、風向調整羽根３１およびコアンダ羽根３２の動作に応じて室内ファン１４のファン回転数を変化させている。
【００８２】
図８は、室内ファン１４のファン回転数変動量パターン・テーブルである。図８において、第１列は、所定時間経過毎に進むべき進路を番号で表わしたものであり、本実施形態では所定時間は１秒に設定されている。第２列〜第６列それぞれには、第１パターンから第５パターンのファン回転数の変動量が表されている。
【００８３】
例えば、風量が自動で制御されているときに、揺らぎ気流制御が選択された場合、制御部４０は、揺らぎ制御に適した基準ファン回転数を算出し、通常の固定風量制御で使用する［高速、高中速、中速、低中速、低速］の５段階からなるファン回転数のうちの低中速と、算出基準ファン回転数とを比較し、高い方を基準ファン回転数とする。
【００８４】
次に、制御部４０は、基準ファン回転数を変動させるとき、第１パターンから第５パターンの中から不規則に一つのパターンを選択し、そのパターンに表された１番から６０番までの変動量を１秒ごとに順番に切り換えて、基準ファン回転数を増減していく。そして、そのパターンが終了すると、再び、第１パターンから第５パターンの中から不規則に一つのパターンを選択し、同様に変動させていく。制御部４０は、このような動作を揺らぎ制御中に繰り返して行う。
【００８５】
但し、コアンダ羽根３２が上限位置から下限位置への移動を開始するときは、室内ファン１４の基準ファン回転数を所定値まで上げるという制限を加える。ここで言う所定値とは、コアンダ羽根３２から剥離した風が居住者に届くことができる最低の風量を確保するためのファン回転数をいう。
【００８６】
つまり、コアンダ羽根３２が上限位置から下限位置への移動を開始する時点で、室内ファン１４のファン回転数が所定値まで上昇すれば、気流がコアンダ羽根３２から剥がれて居住者に向ったときに、気流が居住者に確実に届くので、不意の風が実現する。
【００８７】
そして、コアンダ羽根３２が下限位置から上限位置への移動を開始し、コアンダ羽根３２が上限位置へ到達した時点で、その制限を解除し、基準ファン回転数を選択したパターンに従って変化させる。
【００８８】
（５）ファン回転数の変動量補正
しかしながら、上記のような風量を変動させる揺らぎ気流制御が、静寂な部屋で行われた場合、ファンモータの回転数変動時の音が使用者にとっては不快な騒音となり、逆に快適性をそこなう可能性がある。そこで、本実施形態では、居住者側でその音を調節することができるように構成されている。具体的には、居住者がリモコンを介して揺らぎ気流設定切換を行うことができる。
【００８９】
揺らぎ気流設定切換によって、ファン回転数の変動量が小さくなるように補正係数を選択することによって、図８に示した各パターンの変動量全体にその補正係数をかけて変動量を変更することができる。
【００９０】
図９Ａ及び図９Ｂは、揺らぎ気流制御におけるファン回転数の変動量補正のフローチャートである。
【００９１】
（５−１）ステップＳ１〜Ｓ１０
図９Ａにおいて、制御部４０は、ステップＳ１において、揺らぎ気流制御がオンされたか否かを判定し、オンされていればステップＳ２へ進み、オンされていなければステップＳ１を継続する。
【００９２】
制御部４０は、ステップＳ２において、風量自動に設定されているか否かを判定し、風量自動であるならばステップＳ３に進み、風量自動でない（つまり風量固定）ならばステップＳ２１へ進む。制御部４０は、ステップＳ３において、基準ファン回転数を算出し、ステップＳ４に進む。
【００９３】
制御部４０は、ステップＳ４において，算出基準ファン回転数が低中速回転数以上であるか否かを判定し、低中速回転数（ＬＭタップ）以上であるならばステップＳ５へ進み、低中速回転数（ＬＭタップ）未満であるならばステップＳ１１へ進む。
【００９４】
制御部４０は、ステップＳ５においては算出基準ファン回転数を基準ファン回転数に設定し、ステップＳ１１においては低中速回転数（ＬＭタップ）を基準ファン回転数に設定する。
【００９５】
制御部４０は、ステップＳ６において、居住者（使用者）からファン回転数の変動量補正要求があったか否かを判定し、変動量補正要求があったならばステップＳ７に進み、変動量補正要求がなかったならばステップＳ９に進む。
【００９６】
制御部４０は、ステップＳ７において、風量自動用の変動量補正機能をオンにして、ステップＳ８へ進む。制御部４０は、ステップＳ８において、補正係数が入力されているか否かを判定し、入力されているならばステップＳ９へ進み、入力されていないならばステップ８を継続する。
【００９７】
なお、本実施形態では、居住者が「揺らぎ気流自動」および「揺らぎ気流弱」のいずれか一方を選択できるように揺らぎ気流設定切換部が本体もしくはリモコンに設けられている。例えば、「揺らぎ気流自動」が選択された場合は、補正係数として１が入力されたことになり、変動量は変わらない。他方、「揺らぎ気流弱」が選択された場合は、補正係数として０．７が入力されたことになり、図８に表された変動量全体に０．７を乗じた値が変動量となる。
【００９８】
制御部４０は、ステップＳ９において、揺らぎ気流制御を実行する。この揺らぎ制御における室内ファン１４のファン回転数の変動量は、ステップＳ８で入力された補正係数が乗じられた変動量が適用される。
【００９９】
制御部４０は、ステップＳ１０において、揺らぎ気流制御が解除されたか否かを判定し、解除されたならば本制御を終了し、解除されていないならばステップＳ６に戻る。
【０１００】
なお、説明の便宜上、ステップＳ２からステップＳ１０までの制御を、第２揺らぎ気流制御とよぶ。
【０１０１】
（５−２）ステップＳ２１〜Ｓ２６
制御部４０は、ステップＳ２において風量自動でない（つまり風量固定）と判定し、ステップＳ２１へ進んでいる。制御部４０は、ステップＳ２１において、風量が固定で運転されていたときのタップを基準ファン回転数として設定する。
【０１０２】
制御部４０は、ステップＳ２２において、居住者（使用者）からファン回転数の変動量補正要求があったか否かを判定し、変動量補正要求があったならばステップＳ２３に進み、変動量補正要求がなかったならばステップＳ２５に進む。
【０１０３】
制御部４０は、ステップＳ２３において、風量固定用の変動量補正機能をオンにして、ステップＳ２４へ進む。制御部４０は、ステップＳ２４において、補正係数が入力されているか否かを判定し、入力されているならばステップＳ２５へ進み、入力されていないならばステップＳ２４を継続する。
【０１０４】
例えば、「揺らぎ気流自動」が選択された場合は、補正係数として０．５が入力されたことになり、図８に表された変動量全体に０．５を乗じた値が変動量となる。他方、「揺らぎ気流弱」が選択された場合は、補正係数として０．３が入力されたことになり、図８に表された変動量全体に０．３を乗じた値が変動量となる。
【０１０５】
制御部４０は、ステップＳ２５において、揺らぎ気流制御を実行する。この揺らぎ制御における室内ファン１４のファン回転数の変動量は、ステップＳ２４で入力された補正係数が乗じられた変動量が適用される。
【０１０６】
制御部４０は、ステップＳ２６において、揺らぎ気流制御が解除されたか否かを判定し、解除されたならば本制御を終了し、解除されていないならばステップＳ２２に戻る。
【０１０７】
なお、説明の便宜上、ステップＳ２１からステップＳ２６までの制御を、第１揺らぎ気流制御とよぶ。
【０１０８】
（６）特徴
（６−１）
空調室内機１０では、揺らぎ気流制御における風量の変化度合いの設定値を変える第１機能によって、室内ファン１４の回転数の増減の大きさを変更することができる。その結果、室内ファン１４の加速を抑えることができるので、その分、うなり音などの騒音を抑えることができる。
【０１０９】
（６−２）
また、制御部４０は、風量が固定のときに選択される揺らぎ気流制御を第１揺らぎ気流制御として認定し、風量が自動のときに選択される揺らぎ気流制御を第２揺らぎ気流制御として認定しており、風量の増減の大きさを決定する補正係数は、第１揺らぎ気流制御のほうが第２揺らぎ気流制御より小さいので、第１揺らぎ気流制御における風量の増減の大きさが第２揺らぎ気流制御のときよりも小さくなる。第１揺らぎ気流制御のような、風量固定のときに選択された揺らぎ気流制御は、そのときの固定風量を基準に不規則に風量の増減が行われるので、当初の固定風量が高かった場合は風量増減時の音も大きくなる。それゆえ、第１揺らぎ気流制御における風量の増減の大きさが第２揺らぎ気流制御のときよりも小さくなるように設定されれば、うなり音などの騒音が抑えられる。
【０１１０】
（７）変形例
上記実施形態では、図８に示す各パターンにおける１番から６０番までの変動量が所定時間（１秒）刻みで順番に切り換わっているが、これに限定されるものではない。
【０１１１】
変形例に係る空調室内機１０では、揺らぎ気流制御における風量の変化速度の設定値を変える第２機能によって、風量の増減の時間間隔を変更することができる。つまり、上記実施形態における所定時間（１秒）をより長く設定することによって、室内ファン１４のファン回転数の変動を滑らかにすることができる。
【０１１２】
その結果、室内ファン１４の回転数を緩やかに増減することができるので、その分、うなり音などの騒音を抑えることができる。
【０１１３】
例えば、第１揺らぎ気流制御におけるファン回転数の増減の時間間隔（所定時間）が第２揺らぎ気流制御のときよりも大きくなるように設定されることによって、室内ファン１４の回転数を緩やかに増減することができるので、その分、うなり音などの騒音を抑えることができる。
【産業上の利用可能性】
【０１１４】
以上のように、本発明によれば、自然風に近い調和空気を居住者へ提供することができるので、壁掛け式の空調室内機に限らず、空気清浄機にも有用である。
【符号の説明】
【０１１５】
１０  空調室内機
４０  制御部
【先行技術文献】
【特許文献】
【０１１６】
【特許文献１】特開平８−８６５０２号公報
【図１】
2014055745.tif 000003
【図２】
2014055745.tif 000004
【図３Ａ】
2014055745.tif 000005
【図３Ｂ】
2014055745.tif 000006
【図３Ｃ】
2014055745.tif 000007
【図３Ｄ】
2014055745.tif 000008
【図４Ａ】
2014055745.tif 000009
【図４Ｂ】
2014055745.tif 000010
【図５Ａ】
2014055745.tif 000011
【図５Ｂ】
2014055745.tif 000012
【図６Ａ】
2014055745.tif 000013
【図６Ｂ】
2014055745.tif 000014
【図６Ｃ】
2014055745.tif 000015
【図７】
2014055745.tif 000016
【図８】
2014055745.tif 000017
【図９Ａ】
2014055745.tif 000018
【図９Ｂ】
2014055745.tif 000019